(57)【要約】【課題】身体に密着した状態で装着されるサポートウェア１において、装着者３の運動能力を向上させるためのサポートウェアを提供すること。【解決手段】下腹部４３、大腿部４２，４２後面および下腿部４１，４１前面を覆う範囲には、上下方向への伸縮性が左右方向に比べて高い縦伸縮部１２ａを有し、臀部４４、大腿部４２，４２前面および下腿部４１，４１後面を覆う範囲には、左右方向への伸縮性が上下方向に比べて高い横伸縮部１２ｂを有すること。【選択図】図１
2011084856.tif 000002
【特許請求の範囲】
【請求項１】
身体に密着した状態で装着されるサポートウェアにおいて、
下腹部、大腿部後面および下腿部前面を覆う範囲には、上下方向への伸縮性が左右方向に比べて高い縦伸縮部を有し、
臀部、大腿部前面および下腿部後面を覆う範囲には、左右方向への伸縮性が上下方向に比べて高い横伸縮部を有する、サポートウェア。
【発明の詳細な説明】
【技術分野】
【０００１】
本発明は、装着者の運動や立位姿勢を補助するためのサポートウェアに関するものである。
【背景技術】
【０００２】
近年、健康志向の高まりとともに、ウォーキングやジョギング、その他様々なスポーツを行う中高年者が増加しているが、筋力が低下傾向にある中高年者は、比較的負荷の小さい運動であっても、関節や筋肉、腱等の部位に疾患が発生しやすい。従って、上肢や下肢を中心に筋力を向上させておく必要がある。
【先行技術文献】
【特許文献】
【０００３】
【特許文献１】特開２００２−２１２８１４号公報（第１−７頁、第１−１０図）
【発明の概要】
【発明が解決しようとする課題】
【０００４】
しかしながら、上肢や下肢の筋力を強化すべく、単調且つ負荷のかかる筋力強化トレーニングを継続的に行うのは、精神的にも肉体的にも負担が大きいし、過度の筋力強化トレーニングを行えば、かえって関節痛や肉離れ等の疾患を発生させるおそれもある。
従って、筋力強化トレーニングの代わりに容易に上肢や下肢全体の筋力を向上させて、運動や立位姿勢を補助し得るものが求められていた。
【０００５】
本発明は係る点に鑑みてなされたもので、
『身体に密着した状態で装着されるサポートウェア』において、装着者の運動能力を向上させるためのサポートウェアを提供することをその課題とする。
【課題を解決するための手段】
【０００６】
上記課題を解決するための本発明の技術的手段は、
『下腹部、大腿部後面および下腿部前面を覆う範囲には、上下方向への伸縮性が左右方向に比べて高い縦伸縮部を有し、
臀部、大腿部前面および下腿部後面を覆う範囲には、左右方向への伸縮性が上下方向に比べて高い横伸縮部を有する』ことである。
【０００７】
上記技術手段によれば、身体に装着した際に、その下腹部、大腿部の後面および下腿部の前面が、上下方向への伸縮性が高い縦伸縮部で覆われ、臀部、大腿部の前面および下腿部の後面が、左右方向への伸縮性が高い横伸縮部で覆われる。
即ち、身体に装着した際に伸張する縦伸縮部の復元力が、下肢を屈曲させる際に働く下腹部、大腿部後面および下腿部前面の筋肉に対してその収縮を促進させる方向（下肢の上下方向）へ加わる。
【０００８】
また、横伸縮部の復元力が、下肢を伸展させる際に働く臀部、大腿部前面および下腿部後面の筋肉に対してその膨張を抑制させる方向（下肢の左右方向）へ加わる。これにより、それら筋肉の収縮力が増強すると考えられる。従って、下肢全体の筋力が補助される。
【発明の効果】
【０００９】
以上のように、本発明によれば、縦伸縮部の復元力を、下肢を屈曲させる際に働く筋肉に対してその収縮を促進させる方向へ加え、横伸縮部の復元力を、下肢を伸展させる際に働く筋肉に対してその膨張を抑制させる方向へ加えることによって、下肢全体の筋力が補助されるから、後述する比較テストから明らかなように、装着者の運動能力が向上する。
【図面の簡単な説明】
【００１０】
【図１】本発明の実施の形態に係るサポートウェア１の説明図（図１（ａ）が身体の正面側、図１（ｂ）が身体の背面側を示す）
【図２】本発明の実施の形態に係るサポートウェア１で覆われる各筋肉の説明図（図２（ａ）が身体の正面側、図２（ｂ）が身体の背面側を示す）
【図３】本発明の実施の形態に係るサポートウェア１のシャツ１Ａを装着した場合、他の構成のシャツを装着した場合、シャツを装着しない場合の握力の比較テスト結果を示す表
【図４】本発明の実施の形態に係るサポートウェア１のパンツ１Ｂを装着した場合と、パンツ１Ｂを装着しない場合との下肢部の屈曲・伸展力の比較テスト結果を示す表
【図５】図３に示す握力比較テストの実施方法を示す説明図
【図６】図４に示す膝関節および股関節の屈曲・伸展力の比較テストの実施方法を示す説明図
【発明を実施するための形態】
【００１１】
次に、上記した本発明を実施するための最良の形態について、添付図面を参照しながら詳述する。
図１（ａ）および（ｂ）に示すように、本発明の実施の形態に係るサポートウェア１は、伸縮性の高い素材で形成され、上半身に密着した状態で装着される長袖丈のシャツ１Ａと、下半身に密着した状態で装着される長裾丈のパンツ１Ｂとで構成されている。
【００１２】
従って、上記サポートウェア１を装着することによって、装着者３の上肢および胴部全体が上記シャツ１Ａによって若干締め付けられた状態で覆われ、下肢および腰部全体が上記パンツ１Ｂによって若干締め付けた状態で覆われる。
【００１３】
シャツ１Ａは、前腕部３１，３１の前面、上腕部３２，３２の前面、肩部３３，３３の前面、後述する第３縦伸縮部１３ａが設けられる範囲を除く胴部前面を覆う第１縦伸縮部１１ａと、前腕部３１，３１の後面、上腕部３２，３２の後面、肩部３３，３３の後面、後述する第３横伸縮部１３ｂが設けられる範囲を除く胴部後面を覆う第１横伸縮部１１ｂと、胴部前面の首部根元から腰部までの帯状の領域、即ち、胸部３４および腹部３５を覆う第３縦伸縮部１３ａと、胴部後面の背部３６全域を覆う第３横伸縮部１３ｂとを備えている。
【００１４】
従って、シャツ１Ａを装着した際には、装着者３の上肢の前面側に位置する腕橈骨筋３１１，３１１、尺側手根屈筋３１２，３１２、上腕二頭筋３２１，３２１、三角筋前面３３１，３３１および胴部の前面側に位置する外腹斜筋３５２，３５２の筋腹部上域が、第１縦伸縮部１１ａによって覆われ、胴部の前面側に位置する大胸筋３４１，３４１および腹直筋上部３５１の筋腹部上域が、第３縦伸縮部１３ａによって覆われる。
【００１５】
また、上肢の後面側に位置する指伸筋３１３，３１３、尺側手根伸筋３１４，３１４、上腕三頭筋３２２，３２２、三角筋後面３３２，３３２および胴部の後面側に位置する広背筋３６２，３６２の筋腹部上域が、第１横伸縮部１１ｂによって覆われ、胴部の後面側に位置する僧帽筋３６１の筋腹部上域が、第３横伸縮部１３ｂによって覆われる（図２（ａ）および（ｂ）参照）。
【００１６】
上記第１縦伸縮部１１ａは、縦方向への伸縮性が横方向に比べて高い（例えば、縦方向の伸縮率が１００％、横方向の伸縮率が１０％）リブ編み生地をそのまま縦向きに用いて、シャツ１Ａの上下方向への伸縮性が左右方向に比べて高くなるように形成されており、第１横伸縮部１１ｂは、上記第１縦伸縮部１１ａと同様のリブ編み生地を横向きに用いて、シャツ１Ａの左右方向への伸縮性が上下方向に比べて高くなるように形成されている。
【００１７】
第３縦伸縮部１３ａは、伸縮性の高いエラスタン繊維によって縦方向への伸縮性が横方向に比べて高くなるように（例えば、縦方向の伸縮率が５００％、横方向の伸縮率が１０％）形成された網目生地をそのまま縦向きに用いて、シャツ１Ａの上下方向への伸縮性が左右方向に比べて高くなるように形成されており、第３横伸縮部１３ｂは、上記第３縦伸縮部１３ａと同様の網目生地を横向きに用いて、シャツ１Ａの左右方向への伸縮性が上下方向に比べて高くなるように形成されている。
【００１８】
尚、上記第１縦伸縮部１１ａで覆われる腕橈骨筋３１１，３１１、尺側手根屈筋３１２，３１２、上腕二頭筋３２１，３２１、三角筋前面３３１，３３１および上記第３縦伸縮部１３ａで覆われる外腹斜筋３５２，３５２、大胸筋３４１，３４１、腹直筋上部３５１は、上肢の屈曲動作や立位姿勢を保持する際に力を発揮するものであるが、それらの筋肉（以下、総称して「屈筋」という）は、上肢または体幹部の上下方向、即ち、筋肉が収縮する方向に外力を与えることによってその収縮力を増強させることが、本願発明の発明者によって確認された。
【００１９】
具体的には、上記屈筋が収縮力を発揮させる際には、上肢または体幹部の上下方向に収縮するが、それら屈筋の収縮する方向（上肢または体幹部の上下方向）へ外力を与えてやることによって、その外力が筋肉の収縮力に加算される。従って、上記屈筋の収縮力が増強する。
【００２０】
また、上記第１横伸縮部１１ｂで覆われる指伸筋３１３，３１３、尺側手根伸筋３１４，３１４、上腕三頭筋３２２，３２２、三角筋後面３３２，３３２および第３横伸縮部１３ｂで覆われる広背筋３６２，３６２、僧帽筋３６１は、上肢の伸展動作や立位姿勢を保持する際に力を発揮するものであるが、それらの筋肉（以下、総称して「伸筋」という）は、上肢または体幹部の左右方向、即ち、筋肉の膨張を抑制させる方向に外力を与えることによってその収縮力を増強させることが、本願発明の発明者によって確認された。
【００２１】
具体的には、上記伸筋が収縮力を発揮させる際には、その筋肉の収縮する方向と交差する方向（上肢または体幹部の左右方向）に膨張するが、それら伸筋の膨張する方向と反対方向へ外力を与えてやることによって、筋肉の膨張する力が収縮力に転換される。従って、上記伸筋の収縮力が増強する。
【００２２】
一方、パンツ１Ｂは、図１（ａ）および（ｂ）に示すように、下腿部４１，４１の前面、大腿部４２，４２の後面および下腹部４３の全域を覆う第２縦伸縮部１２ａと、下腿部４１，４１の後面、大腿部４２，４２の前面および臀部４４の全域を覆う第２横伸縮部１２ｂとを備えている。
【００２３】
従って、パンツ１Ｂを装着した際には、装着者３の下肢の前面側に位置する前脛骨筋４１１，４１１、下肢の後面側に位置する大腿二頭筋４２４，４２４、半腱様筋４２５，４２５および腰部の前面側に位置する腹直筋下部４３１の筋腹部上域が、第２縦伸縮部１２ａによって覆われ、下肢の後面側に位置する下腿三頭筋４１２，４１２、下肢の前面側に位置する大腿直筋４２１，４２１、内側広筋４２２，４２２、外側広筋４２３，４２３および腰部の後面側に位置する大殿筋４４１，４４１の筋腹部上域が、第２横縦伸縮部１２ｂによって覆われる（図２（ａ）および（ｂ）参照）。
【００２４】
上記第２縦伸縮部１２ａは、縦方向への伸縮性が横方向に比べて高い（例えば、縦方向の伸縮率が１００％、横方向の伸縮率が１０％）リブ編み生地をそのまま縦向きに用いて、パンツ１Ｂの上下方向への伸縮性が左右方向に比べて高くなるように形成されており、第２横伸縮部１２ｂは、上記第２縦伸縮部１２ａと同様のリブ編み生地を横向きに用いて、パンツ１Ｂの左右方向への伸縮性が上下方向に比べて高くなるように形成されている。
【００２５】
尚、上記第２縦伸縮部１２ａで覆われる前脛骨筋４１１，４１１、大腿二頭筋４２４，４２４、半腱様筋４２５，４２５および腹直筋下部４３１は、下肢または体幹部の屈曲動作や立位姿勢を保持する際に力を発揮するものであるが、それらの筋肉（以下、総称して「屈筋」という）は、下肢または体幹部の上下方向、即ち、筋肉の収縮を促進させる方向に外力を与えることによってその収縮力を増強させることが、本願発明の発明者によって確認された。
【００２６】
具体的には、上記屈筋が収縮力を発揮させる際には、下肢または体幹部の上下方向に収縮するが、それら屈筋の収縮する方向（下肢または体幹部の上下方向）へ外力を与えてやることによって、その外力が筋肉の収縮力に加算される。従って、上記屈筋の収縮力が増強する。
【００２７】
また、上記第２横伸縮部１２ｂで覆われる下腿三頭筋４１２，４１２、大腿直筋４２１，４２１、内側広筋４２２，４２２、外側広筋４２３，４２３および大殿筋４４１，４４１は、下肢または体幹部の伸展動作や立位姿勢を保持する際に力を発揮するものであるが、それらの筋肉（以下、総称して「伸筋」という）は、下肢または体幹部の左右方向、即ち、筋肉の膨張を抑制させる方向に外力を与えることによってその収縮力を増強させることが、本願発明の発明者によって確認された。
【００２８】
具体的には、上記伸筋が収縮力を発揮させる際には、その筋肉の収縮する方向と交差する方向（上肢または体幹部の左右方向）に膨張するが、それら伸筋の膨張する方向と反対方向へ外力を与えてやることによって、筋肉の膨張する力が収縮力に転換される。従って、上記伸筋の収縮力が増強する。
【００２９】
［サポートウェア１の使用の実際］
このものでは、上記シャツ１Ａを装着すると、第１縦伸縮部１１ａおよび第３縦伸縮部１３ａはシャツ１Ａの上下方向へ伸び、第１横伸縮部１１ｂおよび第３横伸縮部１３ｂはシャツ１Ａの左右方向へ伸びる。
【００３０】
即ち、第１縦伸縮部１１ａまたは第３縦伸縮部１３ａに覆われている腕橈骨筋３１１，３１１、尺側手根屈筋３１２，３１２、上腕二頭筋３２１，３２１、三角筋前面３３１，３３１、外腹斜筋３５２，３５２、大胸筋３４１，３４１および腹直筋上部３５１の屈筋群には、それら筋肉の収縮する方向へその第１縦伸縮部１１ａまたは第３縦伸縮部１３ａの伸張に対する復元力が加えられる。これにより、上半身の屈筋群の収縮力が増強される。
【００３１】
また、第１横伸縮部１１ｂまたは第３横伸縮部１３ｂに覆われている指伸筋３１３，３１３、尺側手根伸筋３１４，３１４、上腕三頭筋３２２，３２２、三角筋後面３３２，３３２、広背筋３６２，３６２および僧帽筋３６１の伸筋群には、それら筋肉の膨張を抑制させる方向へその第１横伸縮部１１ｂまたは第３横伸縮部１３ｂの伸張に対する復元力が加えられる。これにより、上半身の伸筋群の収縮力が増強される。
【００３２】
一方、上記パンツ１Ｂを装着すると、第２縦伸縮部１２ａはパンツ１Ｂの上下方向へ伸び、第２横伸縮部１２ｂはパンツ１Ｂの左右方向へ伸びる。
【００３３】
即ち、第２縦伸縮部１２ａに覆われている前脛骨筋４１１，４１１、大腿二頭筋４２４，４２４、半腱様筋４２５，４２５および腹直筋下部４３１の屈筋群には、それら筋肉の収縮する方向へその第２縦伸縮部１２ａの伸張に対する復元力が加えられる。これにより、下半身の屈筋群の収縮力が増強される。
【００３４】
また、第２横伸縮部１２ｂに覆われている下腿三頭筋４１２，４１２、大腿直筋４２１，４２１、内側広筋４２２，４２２、外側広筋４２３，４２３および大殿筋４４１，４４１の伸筋群には、それら筋肉の膨張を抑制させる方向へその第２横伸縮部１２ｂの伸張に対する復元力が加えられる。これにより、下半身の伸筋群の収縮力が増強される。
【００３５】
この結果、上肢や下肢、体幹部全体の筋力が向上し、装着者３の運動や立位姿勢を補助することができる。
【００３６】
また、上肢や下肢、体幹部全体の運動能力が向上するのに伴って、装着者３の体温も上昇するが、このとき、発汗による放熱作用が十分に機能しなければ、異常な体温上昇によって体力の低下を招き、かえって運動能力を低下させるおそれがある。
【００３７】
しかしながら、胸部３４を覆う第３縦伸縮部１３ａおよび背部３６を覆う第３横伸縮部１３ｂは、網目生地で形成されているから通気性が良く、運動時に比較的発汗しやすい部位である胸部３４および背部３６の発汗による放熱作用が促進され、異常な体温上昇が防止される。これにより、装着者３の体力の低下が抑制され、運動能力の維持を図ることができる。
【００３８】
［比較テスト］
次に、上記シャツ１Ａを装着して行った握力の比較テストと、パンツ１Ｂを装着して行った膝関節および股関節の屈曲・伸展力の比較テストについて説明する。
【００３９】
図３に示す表は、上記シャツ１Ａ（以下、「試験体Ｔ２」という）を装着した場合、上肢部のみが上記シャツ１Ａと同一構成のシャツ（両上肢の前面側に縦伸縮部１１ａ、後面側に横伸縮部１１ｂを設けた長袖丈のシャツ。以下、「試験体Ｔ１」という）を装着した場合、シャツを装着しない場合のそれぞれについて、握力計による両手の握力を測定したものである。
【００４０】
具体的には、図５に示すように、前腕部３１および上腕部３２をまっすぐ下方へ伸ばした姿勢、即ち、上肢を降ろした姿勢で握力計Ｐの握持部Ｐ１を握ったときの握力計Ｐが示す数値を記録した。
【００４１】
尚、握力は、主として前腕部３１および上腕部３２、肩部３３の筋力によって発揮されているが、前腕部３１、上腕部３２および肩部３３に加えて、胸部３４や腹部３５、背部３６の筋力が総合的に作用することによって、より一層効果的な握力が発揮される。
【００４２】
この表（図３参照）から、被験者ＤおよびＥを除く３名の被験者において、シャツを装着しない場合よりも、試験体Ｔ１を装着した場合の方が両手共に高い数値が得られたことが分かる。
また、被験者Ｅにおいては、左手側で高い数値を示している。
【００４３】
即ち、腕橈骨筋３１１，３１１、尺側手根屈筋３１２，３１２、上腕二頭筋３２１，３２１および三角筋前面３３１，３３１の上肢の屈筋群をそれら筋肉の収縮する方向に高い伸縮力を発揮する第１縦伸縮部１１ａで覆い、指伸筋３１３，３１３、尺側手根伸筋３１４，３１４、上腕三頭筋３２２，３２２および三角筋後面３３２，３３２の上肢の伸筋群をそれら筋肉の収縮する方向と交差する方向に高い伸縮力を発揮する第１横伸縮部１１ｂで覆うことによって、上肢全体の筋力が増強し、握力の向上が認められたということがいえる。
【００４４】
さらに、被験者ＡおよびＥを除く３名の被験者においては、試験体Ｔ１を装着した場合よりも、試験体Ｔ２を装着した場合の方がより一層高い数値が得られたことが分かる。
特に、被験者Ｃにおいては、両手ともに高い数値を示している。
【００４５】
即ち、上記上肢の屈筋群を第１縦伸縮部１１ａで覆い、伸筋群を第１横伸縮部１１ｂで覆うとともに、外腹斜筋３５２，３５２、大胸筋３４１，３４１および腹直筋上部３５１の体幹部の屈筋群をそれら筋肉の収縮する方向に高い伸縮力を発揮する第３縦伸縮部１３ａで覆い、広背筋３６２，３６２および僧帽筋３６１の体幹部の伸筋群をそれら筋肉の収縮する方向と交差する方向に高い伸縮力を発揮する第３横伸縮部１３ｂで覆うことによって、上肢に加えて体幹部の筋力が増強し、握力のより効果的な向上が認められたということがいえる。
【００４６】
一方、図４に示す表は、上記パンツ１Ｂ（以下、「試験体Ｔ３」という）を装着した場合および試験体Ｔ３を装着しない場合のそれぞれについて、筋力測定装置による右足膝関節の屈曲力および伸展力、右足股関節の屈曲力および伸展力を測定したものである。
【００４７】
具体的には、膝関節の屈曲力および伸展力を測定する場合は、図６（ａ）に示すように、足首上部４１０を筋力測定装置Ｍのアーム部Ｍ１に固定し、座位で下腿部４１を上げ下ろしさせたときの筋力測定装置Ｍが示す数値を記録した。
【００４８】
また、股関節の屈曲力および伸展力を測定する場合は、図６（ｂ）に示すように、膝上部４２０を筋力測定装置Ｍのアーム部Ｍ１に固定し、仰臥位で大腿部４２を上げ下ろしさせたときの筋力測定装置Ｍが示す数値を記録した。
【００４９】
この表（図４参照）から、被験者Ａの股関節の伸展力および被験者Ｂの膝関節の伸展力を除くすべての測定結果において、試験体Ｔ３を装着しない場合よりも、試験体Ｔ３を装着した場合の方が高い数値が得られたことが分かる。
【００５０】
即ち、前脛骨筋４１１，４１１、大腿二頭筋４２４，４２４、半腱様筋４２５，４２５および腹直筋下部４３１の下肢の屈筋群をそれら筋肉の収縮する方向に高い伸縮力を発揮する第２縦伸縮部１２ａで覆い、下腿三頭筋４１２，４１２、大腿直筋４２１，４２１、内側広筋４２２，４２２、外側広筋４２３，４２３および大殿筋４４１，４４１の下肢の伸筋群をそれら筋肉の収縮する方向と交差する方向に高い伸縮力を発揮する第２横伸縮部１２ｂで覆うことによって、下肢および体幹部の筋力が増強し、膝関節および股関節の屈曲・伸展力の向上が認められたということがいえる。
【００５１】
［その他］
尚、第１縦伸縮部１１ａおよび第２縦伸縮部１２ａは、縦方向への伸縮性が高いリブ編み生地をそのまま縦向きに用いて、シャツ１Ａまたはパンツ１Ｂの上下方向への伸縮性が高くなるように形成されたものであるが、伸縮性の高い方向がシャツ１Ａまたはパンツ１Ｂの上下方向になるように形成されておれば、一方向への伸縮性が高いパール編み生地や、エラスタン繊維によって一方向への伸縮性が高くなるように形成された生地を用いたものであっても良い。
【００５２】
また、第１横伸縮部１１ｂおよび第２横伸縮部１２ｂも上記第１縦伸縮部１１ａや第２縦伸縮部１２ａと同様、伸縮性の高い方向がシャツ１Ａまたはパンツ１Ｂの左右方向になるように形成されておれば、一方向への伸縮性が高いパール編み生地や、エラスタン繊維によって一方向への伸縮性が高くなるように形成された生地を用いたものであっても良い。
【００５３】
さらに、第３縦伸縮部１３ａおよび第３横伸縮部１３ｂは、伸縮性の高いエラスタン繊維によって一方向への伸縮性が高くなるように形成されたものであるが、第３縦伸縮部１３ａはシャツ１Ａの上下方向、第３横伸縮部１３ｂはシャツ１Ａの左右方向への伸縮性が高くなるように形成されておれば、一方向への伸縮性が高いリブ編み生地やパール編み生地を用いたものであっても良い。
【符号の説明】
【００５４】
１・・・サポートウェア
１１ａ・・・第１縦伸縮部
１１ｂ・・・第１横伸縮部
３・・・装着者
３１・・・前腕部
３２・・・上腕部
３３・・・肩部
【図１】
2011084856.tif 000003
【図２】
2011084856.tif 000004
【図３】
2011084856.tif 000005
【図４】
2011084856.tif 000006
【図５】
2011084856.tif 000007
【図６】
2011084856.tif 000008
【手続補正書】
【提出日】平成23年1月26日(2011.1.26)
【手続補正１】
【補正対象書類名】明細書
【補正対象項目名】０００９
【補正方法】変更
【補正の内容】
【０００９】
【図１】本発明の実施の形態に係るサポートウェアの説明図（図１（ａ）が身体の正面側、図１（ｂ）が身体の背面側を示す）
【図２】本発明の実施の形態に係るサポートウェアで覆われる各筋肉の説明図（図２（ａ）が身体の正面側、図２（ｂ）が身体の背面側を示す）
【図３】本発明の実施の形態に係るサポートウェアを装着した場合と、装着しない場合との下肢部の屈曲・伸展力の比較テスト結果を示す表
【図４】図３に示す膝関節および股関節の屈曲・伸展力の比較テストの実施方法を示す説明図
【手続補正２】
【補正対象書類名】明細書
【補正対象項目名】００１０
【補正方法】変更
【補正の内容】
【００１０】
次に、上記した本発明を実施するための最良の形態について、添付図面を参照しながら詳述する。
図１（ａ）および（ｂ）に示すサポートウェア１は、伸縮性の高い素材で形成され、上半身に密着した状態で装着される長袖丈のシャツ１Ａと、下半身に密着した状態で装着される長裾丈のパンツ１Ｂとで構成されている。
【手続補正３】
【補正対象書類名】明細書
【補正対象項目名】００１１
【補正方法】変更
【補正の内容】
【００１１】
従って、上記サポートウェア１を装着することによって、装着者３の上肢および胴部全体が上記シャツ１Ａによって若干締め付けられた状態で覆われ、下肢および腰部全体が上記パンツ１Ｂによって若干締め付けた状態で覆われる。尚、上記パンツ１Ｂが本発明の実施の形態に係るサポートウェアに対応する。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２７
【補正方法】変更
【補正の内容】
【００２７】
具体的には、上記伸筋が収縮力を発揮させる際には、その筋肉の収縮する方向と交差する方向（下肢または体幹部の左右方向）に膨張するが、それら伸筋の膨張する方向と反対方向へ外力を与えてやることによって、筋肉の膨張する力が収縮力に転換される。従って、上記伸筋の収縮力が増強する。
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】変更
【補正の内容】
【００３１】
［サポートウェア１の使用の実際］
このものでは、上記パンツ１Ｂを装着すると、第２縦伸縮部１２ａはパンツ１Ｂの上下方向へ伸び、第２横伸縮部１２ｂはパンツ１Ｂの左右方向へ伸びる。
【手続補正１５】
【補正対象書類名】明細書
【補正対象項目名】００３４
【補正方法】変更
【補正の内容】
【００３４】
この結果、下肢や体幹部全体の筋力が向上し、装着者３の運動や立位姿勢を補助することができる。
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】変更
【補正の内容】
【００３７】
［比較テスト］
次に、上記パンツ１Ｂを装着して行った膝関節および股関節の屈曲・伸展力の比較テストについて説明する。
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】変更
【補正の内容】
【００４５】
図３に示す表は、上記パンツ１Ｂ（以下、「試験体Ｔ３」という）を装着した場合および試験体Ｔ３を装着しない場合のそれぞれについて、筋力測定装置による右足膝関節の屈曲力および伸展力、右足股関節の屈曲力および伸展力を測定したものである。
【手続補正２７】
【補正対象書類名】明細書
【補正対象項目名】００４６
【補正方法】変更
【補正の内容】
【００４６】
具体的には、膝関節の屈曲力および伸展力を測定する場合は、図４（ａ）に示すように、足首上部４１０を筋力測定装置Ｍのアーム部Ｍ１に固定し、座位で下腿部４１を上げ下ろしさせたときの筋力測定装置Ｍが示す数値を記録した。
【手続補正２８】
【補正対象書類名】明細書
【補正対象項目名】００４７
【補正方法】変更
【補正の内容】
【００４７】
また、股関節の屈曲力および伸展力を測定する場合は、図４（ｂ）に示すように、膝上部４２０を筋力測定装置Ｍのアーム部Ｍ１に固定し、仰臥位で大腿部４２を上げ下ろしさせたときの筋力測定装置Ｍが示す数値を記録した。
【手続補正２９】
【補正対象書類名】明細書
【補正対象項目名】００４８
【補正方法】変更
【補正の内容】
【００４８】
この表（図３参照）から、被験者Ａの股関節の伸展力および被験者Ｂの膝関節の伸展力を除くすべての測定結果において、試験体Ｔ３を装着しない場合よりも、試験体Ｔ３を装着した場合の方が高い数値が得られたことが分かる。
【手続補正３０】
【補正対象書類名】明細書
【補正対象項目名】００５０
【補正方法】変更
【補正の内容】
【００５０】
［その他］
尚、第２縦伸縮部１２ａは、縦方向への伸縮性が高いリブ編み生地をそのまま縦向きに用いて、パンツ１Ｂの上下方向への伸縮性が高くなるように形成されたものであるが、伸縮性の高い方向がパンツ１Ｂの上下方向になるように形成されておれば、一方向への伸縮性が高いパール編み生地や、エラスタン繊維によって一方向への伸縮性が高くなるように形成された生地を用いたものであっても良い。
【手続補正３１】
【補正対象書類名】明細書
【補正対象項目名】００５１
【補正方法】変更
【補正の内容】
【００５１】
また、第２横伸縮部１２ｂも上記第２縦伸縮部１２ａと同様、伸縮性の高い方向がパンツ１Ｂの左右方向になるように形成されておれば、一方向への伸縮性が高いパール編み生地や、エラスタン繊維によって一方向への伸縮性が高くなるように形成された生地を用いたものであっても良い。
【手続補正３２】
【補正対象書類名】明細書
【補正対象項目名】００５２
【補正方法】削除
【補正の内容】
【手続補正３３】
【補正対象書類名】明細書
【補正対象項目名】００５３
【補正方法】変更
【補正の内容】
【００５３】
１・・・サポートウェア
１２ａ・・・第２縦伸縮部（縦伸縮部）
１２ｂ・・・第２横伸縮部（横伸縮部）
３・・・装着者
４１・・・下腿部
４２・・・大腿部
４３・・・下腹部
４４・・・臀部
【手続補正３４】
【補正対象書類名】図面
【補正対象項目名】全図
【補正方法】変更
【補正の内容】
【図１】
2011084856.tif 000009
【図２】
2011084856.tif 000010
【図３】
2011084856.tif 000011
【図４】
2011084856.tif 000012